(57)【要約】      （修正有）【課題】この発明は、台盤上の側面がハンドルの支柱に掛止められる格子状のメッシュパネルで囲まれた荷役用パレットの組立構造に関する。【解決手段】メッシュパネルに設けた第１支柱係止部４が、アングル状に延び、先端部が第１メッシュパネル３の一方の端部より外側に突出して第１受部４１となると共に、外方に開口する第１支柱嵌合部４２を形成しており、第２支柱係止部５が第１メッシュパネル３の他方の端部側で支柱の外側を通るように略直角に折れ曲がって略Ｔ状に形成され、前記先端部が第１メッシュパネル３の他方の端部より外側に突出して第２受部５１となると共に、内方に開口する第２支柱嵌合部５２を形成してなる。【選択図】図１０
2010215275.tif 000002
【特許請求の範囲】
【請求項１】
台盤上に立設したハンドルの左右一対の支柱を台盤の対向する隅部に配置したパレット本体と、前記一対の支柱にそれぞれ掛け止める第１支柱係止部および第２支柱係止部を左右に有する一対の第１メッシュパネルと、前記第１または第２支柱係止部の先端に設けられた受部に着脱可能に係止するパネルロック具を有し前記第１メッシュパネルと直交する方向で第１メッシュパネルに掛止められる一対の第２メッシュパネルとからなるメッシュ型荷役用パレットにおいて、
第１支柱係止部および第２支柱係止部の支柱嵌合用の開口が一対の支柱の左右いすれか一方から横にスライドして嵌合しうるように同じ方向に揃って配置されていることを特徴とする請求項１に記載のメッシュ型荷役用パレット。
【請求項２】
第１支柱係止部および第２支柱係止部が、第１メッシュパネルの一側に固定され第１メッシュパネルに沿って延びる平面視略コ字状の挟持部を有しており、
前記第１支柱係止部に一体に形成されて第１メッシュパネルの左右の一方の端部から外方へ突出する第１受部と、
前記第２支柱係止部に一体に形成されて第１メッシュパネルの左右の他方の端部から外方へ突出する第２受部とを設けており、
前記第２メッシュパネルのパネルロック具が、第２メッシュパネルを貫通して突出する前記第１受部または第２受部に着脱可能に係止しうることを特徴とするメッシュ型荷役用パレット。
【請求項３】
第１支柱係止部および第２支柱係止部が、固着用の基部と、該基部から延びて支柱嵌合用の開口を囲むように略平行に対峙する一対の挟持部と、該一対の挟持部間をつなぐ連結部とからなっていることを特徴とする請求項１に記載のメッシュ型荷役用パレット。
【請求項４】
パレット本体の台盤の前後に一対のハンドルが設けられ、該一対のハンドルの左右一対の支柱が台盤の四隅に配置されており、前後の各ハンドルに沿って第１メッシュパネルがそれぞれ各ハンドルの左右一対の支柱に係止されることを特徴とする請求項１に記載のメッシュ型荷役用パレット。
【発明の詳細な説明】
【技術分野】
【０００１】
この発明は、側面が金網や格子（メッシュ）で囲まれた荷役用パレットの改良に関する。
【背景技術】
【０００２】
従来、４面の側壁が金網や格子で囲まれたメッシュ型荷役用パレットとして、例えば、下記の特許文献１では、左右両側部にパネル支持部を備えた荷支持台、この荷支持台の後側辺に当該荷支持台上へ折り畳み自在に立設されたバックパネル、及びこのバックパネルの左右両側辺に当該バックパネルに重ねるように折り畳み自在に連設され且つ前記荷支持台のパネル支持部で下側辺が支持されるサイドパネルを備えた折り畳み自在な荷役用パレットであって、前記荷支持台は、フレーム構造体とこの上に敷設されたメッシュ構造体とから成り、前記パネル支持部は、前記メッシュ構造体から左右外側に張り出している前記フレーム構造体の左右両側部に、当該メッシュ構造体の上面レベルより一段低い高さに設けられ、このパネル支持部には、前記サイドパネルが外側に開動するのを阻止する上向きの突出部材が併設され、前記パネル支持部の内側に位置する前記メッシュ構造体の左右両側辺に、内側に閉動する前記サイドパネルの下側辺が係合するようにした構成が知られている。
【０００３】
しかし、メッシュ構造体だけで周壁を形成する場合は構造が複雑となるため、パレットの台盤２０にハンドルＨ１、Ｈ２の支柱を立設し（図１７参照）、該支柱Ｈ１、Ｈ２に４面の格子状のメッシュパネルを係止する構成が知られている。
即ち、図１８に示すように、対向する一対の第１メッシュパネル３’に支柱Ｐ１’、Ｐ２’に掛止めるための支柱係止部４’を設け、直交する他方の第２メッシュパネル６’には前記第１メッシュパネル３’の支柱係止部４’の先端に設けた受部４１’に着脱可能なパネルロック具７’を設けている。
そして、上記構成では第１メッシュパネル３’の支柱係止部４’が、左右対称となるように一対に設けられて、それぞれ外側に向かって開口するチャンネル形状からなっており、支柱への掛止時には一対の支柱Ｐ１’、Ｐ２’に第１メッシュパネル３’を上から下に差し込んで掛け止める必要があった。
そこで、はじめに、一対の第１メッシュパネル３’をそれぞれ支柱係止部４’を介してハンドルの左右の支柱Ｐ１’、Ｐ２’に掛止め、次いで、第２メッシュパネル６’を前後の支柱Ｐ１’、Ｐ１”の外側に沿わせ、且つ前記支柱係止部４’の先端で突出している受部４１’を第２メッシュパネル６’に挿入して該第２メッシュパネル６’に設けたパネルロック具７’を操作して受部４１’に係止し、第２メッシュパネル６’を第１メッシュパネル３’に掛止めている。
上記構成では、常に第１メッシュパネル３’を支柱Ｐ１’、Ｐ２’に掛止めてから第２メッシュパネル６’を第１メッシュパネル３’に掛止める必要があり、一人での組立には困難さが残るという問題点がある。
【０００４】
【特許文献１】特開２００８−２８５２２５号
【発明の概要】
【発明が解決しようとする課題】
【０００５】
この発明は、上記事情に鑑みて創案されたものであって、その主たる課題は、支柱係止部の掛止を、第１メッシュパネルを上下方向に昇降するだけでなく、左右方向にスライドして行うことができるようにして、作業者が一人であっても簡単に組み立てることができるメッシュ型荷役用パレットを提供することにある。
【課題を解決するための手段】
【０００６】
この発明は、上記課題を解決するために、請求項１の発明では、
台盤上に立設したハンドルの左右一対の支柱を台盤の対向する隅部に配置したパレット本体と、前記一対の支柱にそれぞれ掛け止める第１支柱係止部および第２支柱係止部を左右に有する一対の第１メッシュパネルと、前記第１または第２支柱係止部の先端に設けられた受部に着脱可能に係止するパネルロック具を有し前記第１メッシュパネルと直交する方向で第１メッシュパネルに掛止められる一対の第２メッシュパネルとからなるメッシュ型荷役用パレットにおいて、
第１支柱係止部および第２支柱係止部の支柱嵌合用の開口が一対の支柱の左右いすれか一方から横にスライドして嵌合しうるように同じ方向に揃って配置されていることを特徴とする。
【０００７】
また、請求項２の発明では、
前記第１支柱係止部および第２支柱係止部が、第１メッシュパネルの一側に固定され第１メッシュパネルに沿って延びる平面視略コ字状の挟持部を有しており、
前記第１支柱係止部に一体に形成されて第１メッシュパネルの左右の一方の端部から外方へ突出する第１受部と、
前記第２支柱係止部に一体に形成されて第１メッシュパネルの左右の他方の端部から外方へ突出する第２受部とを設けており、
前記第２メッシュパネルのパネルロック具が、第２メッシュパネルを貫通して突出する前記第１受部または第２受部に着脱可能に係止しうることを特徴とする。
更に、請求項３の発明では、
前記第１支柱係止部および第２支柱係止部が、固着用の基部と、該基部から延びて支柱嵌合用の開口を囲むように略平行に対峙する一対の挟持部と、該一対の挟持部間をつなぐ連結部とからなっていることを特徴とする。
また、請求項４の発明では、
前記パレット本体の台盤の前後に一対のハンドルが設けられ、該一対のハンドルの左右一対の支柱が台盤の四隅に配置されており、前後の各ハンドルに沿って第１メッシュパネルがそれぞれ各ハンドルの左右一対の支柱に係止されることを特徴とする。
【発明の効果】
【０００８】
この発明のメッシュ型荷役用パレット１は、支柱係止部の支柱への掛止を、第１メッシュパネルを左右方向にスライドして行うことができるようにしたので、作業者が一人であっても簡単、且つ迅速に組み立てることができ、利便性が高い。
また、支柱係止部は簡単な構造からなるので信頼性が高い。
【図面の簡単な説明】
【０００９】
【図１】メッシュ型荷役用パレットの正面図である。
【図２】メッシュ型荷役用パレットの側面図である。
【図３】メッシュパネルの掛止を示す要部平面図である。
【図４】第１メッシュパネルと支柱との掛止状態を示す平面図である。
【図５】（ａ）は縦線材に脚台を設けた第１メッシュパネルの正面図、（ｂ）は部分側面図である。
【図６】第１支柱係止部であって（ａ）は正面図、（ｂ）は側面図、（ｃ）は平面図である。
【図７】第２支柱係止部であって（ａ）は正面図、（ｂ）は側面図、（ｃ）は平面図である。
【図８】第２メッシュパネルの平面図であり（ａ）は上段パネル、（ｂ）は下段パネルである。
【図９】（ａ）第２メッシュパネルの正面図、（ｂ）は下段パネルの側面図である。
【図１０】第１メッシュパネルの格子状パネルを支柱の外側に配して第２メッシュパネルと組立てた状態を説明する平面図である。
【図１１】第１メッシュパネルの格子状パネルを支柱の内側に配して第２メッシュパネルと組立てた状態を説明する平面図である。
【図１２】異なる実施例の第１メッシュパネルの平面図である。
【図１３】図１２の第１メッシュパネルの第１支柱係止部であって（ａ）は正面図、（ｂ）は側面図、（ｃ）は平面図である。
【図１４】図１２の第１メッシュパネルの第２支柱係止部であって（ａ）は正面図、（ｂ）は側面図、（ｃ）は平面図である。
【図１５】（ａ）は図１２の第１メッシュパネルの格子状パネルを支柱の外側に配した組立例を示す部分平面図、（ｂ）は支柱の内側に配した組立例を示す部分平面図である。
【図１６】（ａ）は図１５（ａ）と左右に逆にした組立例を示す部分平面図、（ｂ）は図１５（ｂ）と左右を逆にした組立例を示す部分平面図である。
【図１７】パレット本体を示す側面図である。
【図１８】従来のメッシュ型荷役用パレットの第１メッシュパネルと第２メッシュパネルの組立状態を説明する平面図である。
【発明を実施するための形態】
【００１０】
この発明は、台盤の四隅にハンドルの支柱を立設し、該支柱に一対のメッシュパネルを掛止める際に、横方向からスライドして支柱に掛止めることができるようにして組立の容易性を実現した。
以下に、この発明のメッシュ型荷役用パレットの好適実施例について図面を参照しながら説明する。
【実施例１】
【００１１】
メッシュ型荷役用パレット１は、図１〜図３に示すように、台盤２０の上部で前後に一対のハンドルＨ１、Ｈ２を立設し、下部に車輪部２１を設けたパレット本体２と、該パレット本体２の上部の側周面を覆う複数（実施例では４枚）のメッシュパネルとからなっている。
【００１２】
［パレット本体］
パレット本体２は、平面視矩形状であって被搬送物を載置する台盤２０と、該台盤２０上でその搬送方向の前後、図示例では長手方向の両側に一対立設したハンドルＨ１、Ｈ２と、前記台盤２０の底面で四隅に取り付けられたキャスタからなる車輪部２１とを有している（図１７参照）。
【００１３】
車輪部２１は、図示例の場合、一方を直進走行型のキャスタを用い、他方を旋回可能型のキャスタを用いているが、この発明では車輪部２１の構成は特に限定されるものではなく、また車輪部に替えて脚部を設けた構造であってもよい。
【００１４】
［ハンドル］
ハンドルＨ１、Ｈ２は、略コ字状やＵ字状に曲折されたパイプからなっており、左右一対の支柱部Ｐ１、Ｐ２をそれぞれ台盤２０の隅部近傍に立設している。
従って、前後一対のハンドルＨ１，Ｈ２により、台盤２０の四隅近傍に、４本の支柱部Ｐ１、Ｐ２がそれぞれ略垂直に１本ずつ立設されている。
【００１５】
［メッシュパネル］
メッシュパネルとして、台盤２０の四面の側周面を覆うために４枚のメッシュパネルを用いるが、本実施例では、対向するメッシュパネルは同じ構造のものを用いており、一方が支柱掛止用の第１メッシュパネル３であり、他方が第１メッシュパネル３に掛止められる第２メッシュパネル６からなっている。
【００１６】
［第１メッシュパネル］
第１メッシュパネル３は、図５に示すように、格子状パネル３１と、該格子状パネル３１の左右両端側に固着されて、左右一対の一方の支柱に掛止められる第１支柱係止部４および他方の支柱に掛止められる第２支柱係止部５とからなる支柱係止部とを有している。
【００１７】
［格子パネル］
第１メッシュパネル３の格子状パネル３１は、矩形の外枠３２の組立時内面側で、前記外枠３２の左右の縦片に、上下に適宜間隔を隔てて互いに平行に配列された横線材３３の両端が固着される。
また、前記外枠３２の上下の横片に、左右に適宜間隔を隔てて互いに平行に配列された縦線材３４の両端が固着される。
そして、前記横線材３３と縦線材３４とはその交差部で互いに固着している。
該縦線材３４は、略垂直に延びる直線状の線材からなるものでもよい（図３参照）が、図５（ｂ）に示すように、直線状に延びる軸本体３４ａの下端で外枠３２の下端位置と同一位置で水平に折曲がって延びる設置片部３４ｂと、設置片部３４ａの先端で折り返されて先端が軸本体３４ａに溶着される折返し片部３４ｃとからなる脚部を設けることが好ましく、これによって格子状パネル３１の台盤２０への設置性を高めることができる。
なお、上記縦線材３４は、その脚部が、取付時に支柱と衝合しないように配置してある（図４参照）。
【００１８】
［第１支柱係止部］
支柱係止部は、本実施例の場合、曲成された線材からなって格子状パネル３１に固着されるもので、第１支柱係止部４と第２支柱係止部５とからなっている。
第１支柱係止部４は、前記格子状パネル３１の左右両端の一方の端部寄りで、図示例の場合、上下二段に固着されており先端が外方へ突出している。
【００１９】
この第１支柱係止部４は、前記格子状パネル３１の一方の端部より支柱の幅の分だけ後退した位置から支柱係止時内方へアングル状に突設されている。
この先端部が、前記格子状パネル３１の一方の端部より外側に突出して第１受部４１となると共に、チャンネル状に曲成されて外方が開口する平面視略コ字状又はＵ字状となって前記支柱を嵌合可能とする第１支柱嵌合部４２を形成している。
【００２０】
図示例の場合、第１支柱係止部４は、図６に示すように、ヘアピン（Ｕピン）状の掛止枠本体４Ａを中途位置で基部４ａに対して直角に折り曲げ、該第１折曲片４ｂから更に基部４ａと平行となるように外向きに直角に折り曲げて第２折曲片４ｃを形成している。
そして、第２折曲片４ｃの先端側を第１受部４１とし、該掛止枠本体４Ａの基部４ａの折曲部分が中間位置となるようにＵ字状枠４Ｂを外嵌して固定し、該Ｕ字状枠４Ｂの延出部分と第２折曲片４ｃとを一対の挟持部４２ａ、４２ｃとし、第１折曲片４ｂを上記一対の挟持部４２ａ、４２ｃをつなぐ連結部４２ｂとして平面視略コ字状又はＵ字状の第１支柱嵌合部４２を形成している。
【００２１】
［第２支柱係止部］
第２支柱係止部５は、前記格子状パネル３１の左右両端の他方の端部寄りで、前記第１支柱係止部４と対向するように同一高さ位置で、上下二段に固着されており先端が外方へ突出している。
【００２２】
この第２支柱係止部５は、前記格子状パネル３１の他方の端部側で支柱の外側を通るように内方へ略直角に折れ曲がり、その先端部は格子状パネル３１と平行に延びるように略Ｔ状に形成されている（図７（ｃ）参照）。
そして、前記先端部が格子状パネル３１の他方の端部より外側に突出して第２受部５１となると共に、内方に開口する第２支柱嵌合部５２を形成している。
【００２３】
図示例の場合、第２支柱係止部５は、図７に示すように、ヘアピン（Ｕピン）状の掛止枠本体５Ａを中途位置で基部５ａに対して直角に折り曲げ、該第１更に基部と平行となるように内向きに直角に折り曲げて形成し、該折曲片５ｂから更に基部５ａと平行となるように内向きに直角に折り曲げて第２折曲片５ｃを形成している。
【００２４】
そして、第２折曲片５ｃの基端側の折曲部分中間位置となるようにＵ字状枠５Ｂを外嵌して固定し、該Ｕ字状枠５Ｂの外方へ突出する部分を第２受部５１とし、基部５ａの折曲側と第２折曲片５ｃとを一対の挟持部５２ａ、５２ｃとし、第１折曲片５ｂを上記一対の挟持部５２ａ、５２ｃをつなぐ連結部５２ｂとして平面視略コ字状又はＵ字状の第２支柱嵌合部５２を形成している。
【００２５】
従って、第１メッシュパネル３は、前記第１支柱係止部４の第１支柱嵌合部４２をハンドルＨの一方の支柱に掛止め、同時に第２支柱係止部５の第２支柱嵌合部５２をハンドルＨの他方の支柱に掛止めて取り付けることができる。
【００２６】
［第２メッシュパネル］                                         
第２メッシュパネル６は、図９に示すように、上下二段に形成された上段パネル６１Ａと下段パネル６１Ｂとをヒンジ部６５で枢動可能に連結している。
上段パネル６１Ａと下段パネル６１Ｂとは、図示例の場合、矩形の外枠６２と、該外枠６２に固着された横線材６３と縦線材６４とで同一形状の格子状となっており、前記格子パネル３１に対して外形が上下方向に略半分となっておりその他の構成は同じとなっている。
なお、縦線材６４は、上段パネル６１Ａでは略垂直に延びる線材からなっており（図８（ａ）参照）、下段パネル６１Ｂでは、図８（ｂ）で示すように、下段パネル６１Ｂの外枠６２の下端位置と同一位置で水平に折曲がって延びる設置片部６４ｂと、設置片部６４ｂの先端で折り返されて先端が縦線材６４の軸本体６４ａに溶着される折返し片部６４ｃとからなる脚部（図９（ｂ）参照）を設けることが好ましい。
【００２７】
［ヒンジ部］
この上段パネル６１Ａと下段パネル６１Ｂとは、上段パネル６１Ａの外枠６２の下辺と下段パネル６１Ｂの外枠６２の上辺とを回転可能にフレーム状のヒンジ部６５で連結している。
従って、下段パネル６１Ｂを起立姿勢に拘束した際に、上段パネル６１Ａを起立姿勢から傾倒姿勢に枢動しうるし、逆に上段パネル６１Ａを起立姿勢に拘束した際に、下段パネル６１Ｂを起立姿勢から傾倒姿勢に枢動しうる。
【００２８】
前記上段パネル６１Ａと下段パネル６１Ｂには、それぞれの左右両端側に前記第１メッシュパネル３に第２メッシュパネル６を掛止めるパネルロック具７が設けられている。
【００２９】
パネルロック具７は、前記第１受部４１または第２受部５２に突入可能なロックピン７１と、横線材６３に固定されてロックピン７１を左右方向に摺動可能に支持するピン受具７２と、前記ロックピン７１に固定されてロックピン７１をスライドさせるためのハンドル７３とからなっている。
【００３０】
ピン受具７２は、上下に延び上端が前記横線材６３に固定される左右一対のアーム部７２ａと、各アーム部７２ａの下端で略円形状に折り返されてロックピン７１を２個所でスライド可能に支持する左右一対の受孔部７２ｂと、該受孔部７２ｂの上端間を繋ぐ横架部７２ｃとからなっている。
前記左右一対の受孔部７２ｂにロックピン７１がスライド可能に挿通されており、前記ロックピン７１に固定されたハンドル７３が左右一対の受孔部７２ｂの間に配置されるのでロックピン７１が受孔部７２ｂから抜け落ちないようになっている。
【００３１】
［組立例１］
次に、パレット本体２に、第１メッシュパネル３と第２メッシュパネル６とを取り付ける組立例について、図１０を参照しながら説明する。
まず台盤２０上に、図示例では左右側方の一方で、前後のハンドルＨの支柱Ｐ１、Ｐ１の外側に沿って、第２メッシュパネル６を起立姿勢で載置する。
【００３２】
次いで、前記台盤２０上で、第１メッシュパネル３を前方または後方のハンドルの左右一対の支柱Ｐ１、Ｐ２の外側に沿って配置し横方向にスライドし、第１支柱係止部４の第１支柱嵌合部４２を一方の支柱Ｐ１に外嵌し、同時に、第２支柱係止部５の第２支柱嵌合部５２を他方の支柱Ｐ２に外嵌する。
この際に、前記第１支柱係止部４の第１受部４１は、第２メッシュパネル６の格子の隙間から外方へ突出する。
【００３３】
突出した第１受部４１の孔は、前記第２メッシュパネル６のロックピン７１のスライドする延長方向に配置される。
そこで、前記ハンドル７３を持ってロックピン７１をロック方向にスライドさせて第１受部４１に突入させる。
本実施例では、第１受部４１は第２メッシュパネル６の格子の隙間を直交方向に通り抜けて外方へ突出することで、Ｕ字状のフレームの中空が格子部分で拘束されて孔が形成されることになるが、第１受部４１にロックピン７１挿通用の穴を形成しておいてもよい。この構成は他の受部においても同じである。
【００３４】
同様に、対向する側の支柱Ｐ２に、別の第１メッシュパネル３の第１支柱係止部４を介して掛止め、該別の第１支柱係止部４の第１受部４１を、前記第２メッシュパネル６の格子の孔から外方へ突出させ、他方のパネルロック具７のロックピン７１を前記第１受部４１に突入させることで、第２メッシュパネル６を一対の第１メッシュパネル３に係止することができる。
【００３５】
次いで、一対の第１メッシュパネル３の他方側の台盤２０上に、図示省略の別の第２メッシュパネル６を支柱に外側に接して配置する。
これにより、第１メッシュパネル３の第２支柱係止部５の第２受部５１を前記別の第２メッシュパネル６の格子間から外方へ突出させることができるので、前記第２メッシュパネル６に設けられたパネルロック具７のロックピン７１を第２受部５１に突入させて、前記別の第２メッシュパネル６を一対の第１メッシュパネル３に係止することができる。
【００３６】
また、第２メッシュパネル６の上段パネル６１Ａに設けられたパネルロック具７のロックピン７１を前記一対に設けられた第１メッシュパネル３のそれぞれの受部４１または５１から退動して抜き取ることで、上段パネル６１Ａを起立位置から下方へ傾倒することができ、台盤２０上に積み重ねられた被搬送物を容易に取り出すことができる。
上段パネル６１Ａはそのままとし、下段パネル６１Ｂのパネルロック具７のロックピン７１を退動させて、下段パネル６１Ｂを上向きに傾動してもよい。
【実施例２】
【００３７】
図１１には実施例２のメッシュ型荷役用パレット１を示す。
台盤２０上に、図中左右側方の一方で、前後のハンドルＨの支柱Ｐ１、Ｐ１の外側に沿って、第２メッシュパネル６を起立姿勢で載置する点は実施例１と同様である。
そして、前記台盤２０上で、第１メッシュパネル３の格子状パネル３１を前方または後方のハンドルの左右一対の支柱Ｐ１、Ｐ２の内側に沿って配置し横方向にスライドし、第１支柱係止部４の第１支柱嵌合部４２を一方の支柱Ｐ１に外嵌し、同時に、第２支柱係止部５の第２支柱嵌合部５２を他方の支柱Ｐ２に外嵌する。
【００３８】
この際に、前記第１支柱係止部４の第１受部４１は、支柱の外側となって第２メッシュパネル６の格子の隙間から外方へ突出する。
そのため、、第２メッシュパネル６は、図１０の実施例１の組立例に比して、支柱Ｐ１を超えて外方へ延出するように長さを設定する必要がある。
同様に前記第２メッシュパネル６に固定されるパネルロック具７はそのロックピン７１が第１受部４１の孔に突入可能な位置に配置される。
【００３９】
そこで、前記ハンドル７３を持ってロックピン７１をロック方向にスライドさせて第１受部４１に突入させ、第１メッシュパネル３に第２メッシュパネル６を掛止めることができる。
この場合、第１メッシュパネル３は、第２メッシュパネル６の長さを変更することで、支柱Ｐ１、Ｐ２の内側に沿って取り付けることも、外側に沿って取り付けることもできる。
その他の構成は前記実施例１と同様であるので、その説明を省略する。
【実施例３】
【００４０】
図１２〜図１５には実施例３のメッシュ型荷役用パレット１を示す。
このメッシュ型荷役用パレット１の第１メッシュパネル１３’は、実施例２のように第２メッシュパネル６の長さを長くすることなく実施例１と同様の第２メッシュパネル６を用い、第１支柱係止部１４と第２支柱係止部１５とを反転しても使用可能とした構成に関する。
【００４１】
［第１支柱係止部］
第１メッシュパネル１３の第１支柱係止部１４は、格子状パネル１３１の一方の端部より支柱の幅の分だけ後退した位置から開口が外向きとなるようにアングル状に突設し、この先端部が前記格子状パネル１３１の一方の端部と揃って同じ位置まで延びてチャンネル状に曲成されている。
そして、前記アングル状の突片先端が第１前方受部１４１Ａとなり、格子状パネル１３１の一方の端部が第１後方受部１４１Ｂとなっている。
また、前記チャンネル状の曲成部が外方に開口する平面視略コ字状となって前記支柱を嵌合可能とする第１支柱嵌合部１４２を形成している。
【００４２】
図示例の場合、第１支柱係止部１４は、図１３に示すように、ヘアピン（Ｕピン）状の掛止枠本体１４Ａを中途位置で基部１４ａに対して直角に折り曲げ、該第１折曲片１４ｂから更に基部１４ａと平行となるように外向きに略直角（支柱に沿うよう円弧状でもよい）に折り曲げて第２折曲片１４ｃを形成している。
そして、第２折曲片１４ｃの先端側を第１前方受部１４１Ａとし、該掛止枠本体１４Ａの基部１４ａの折曲部分が中間位置となるようにＵ字状枠１４Ｂを外嵌して固定している。
ここでＵ字状枠１４Ｂは、前記第２折曲片１４ｃの先端と平行に同じ位置まで延びて第１後方受部１４１Ｂとしている。
またＵ字状枠１４Ｂの延出部分を一方の挟持部１４２ｃとし、第１折曲片１４ｂを連結部１４２ｂとし、第２折曲片１４ｃを他方の挟持部１４２aとして平面視略コ字状又はＵ字状の第１支柱嵌合部１４２を形成している。
【００４３】
［第２支柱係止部］
第２支柱係止部１５は、前記格子状パネル１３１の左右両端の他方の端部寄りで、前記第１支柱係止部１４と対向するように同一高さ位置で、上下二段に固着されており先端が外方へ突出している。
【００４４】
この第２支柱係止部１５は、前記格子状パネル１３１の他方の端部側で支柱の外側を通るように内方へ略直角に折れ曲がり、その前後の先端部は格子状パネル３１と平行に延びるように略エ字状に形成されている（図１４（ｃ）参照）。
そして、前記両先端部は、格子状パネル１３１の他方の端部より外側に突出して第２前方受部１５１Ａおよび第２後方受部１５１Ｂとなると共に、内方に開口する第２支柱嵌合部１５２を形成している。
【００４５】
図示例の場合、第２支柱係止部１５は、図１４に示すように、ヘアピン（Ｕピン）状の掛止枠本体１５Ａを中途位置で基部１５ａに対して直角に折り曲げ、該第１折曲片１５ｂから更に基部１５ａと平行となるように内向きに略直角（支柱に沿うよう円弧状でもよい）に折り曲げて第２折曲片１５ｃを形成している。
【００４６】
そして、第２折曲片１５ｃの基端側の折曲部分中間位置となるように前方のＵ字状枠１５Ｂを外嵌して固定し、該Ｕ字状枠１５Ｂの外方へ突出する部分を第２前方受部１５１Ａとし、基部１５ａの折り曲げ個所に上記Ｕ字状枠１５Ｂと平行に後方のＵ字状枠１５Ｃを外嵌して基端を固定し、該Ｕ字状枠１５Ｂの外方へ突出する部分を第２後方受部１５１Ｂとしている。
また、基部１５ａの折曲側と第２折曲片５ｃとを一対の挟持部１５２ａ、１５２ｃとし、第１折曲片１５ｂを上記一対の挟持部１５２ａ、１５２ｃをつなぐ連結部１５２ｂとして平面視略コ字状またはＵ字状の第２支柱嵌合部１５２を形成している。
【００４７】
上記のように構成された第１支柱係止部１４と第２支柱係止部１５とは、それぞれ格子状パネル１３１に一体に固着され、第１前方受部１４１Ａと第１後方受部１４１Ｂ、第２前方受部１５１Ａと第２後方受部１５１Ｂとがそれぞれ格子状パネル１３１の左右の延出方向へ突出して、第１メッシュパネル１３’を形成する。
そして、第１支柱係止部１４と第２支柱係止部１５とは、前後に一対の受部１４１Ａと１４１Ｂ、１５１Ａと１５１Ｂを設けているので、その受部のいずれか一方をロックピン７１を係止する受部として用いることができる。
【００４８】
従って、上記第１メッシュパネル１３’は、図１５に示すように、第１メッシュパネル１３’の前後を反転して、格子状パネル１３１を支柱Ｐ１、Ｐ２の外側（図１５（ａ）参照）に配置し、または内側（図１５（ｂ）参照）に配置することができる。
この場合、前者では第１前方受部１４１Ａ、第２前方受部１５１Ａが受部として使用され、後者では第１後方受部１４１Ｂ、第２後方受部１５１Ｂが受部として使用されるので、第２メッシュパネル６の配置や形状は変更する必要が無い。
【００４９】
同様に、上記第１メッシュパネル１３’は、図１６に示すように、第１メッシュパネル１３’の左右を反転して、格子状パネル１３１を支柱Ｐ１、Ｐ２の外側（図１６（ａ）参照）に配置し、または内側（図１６（ｂ）参照）に配置することもできる。
この場合も、左右対称となるが、前者では第１前方受部１４１Ａ、第２前方受部１５１Ａが受部として使用され、後者では第１後方受部１４１Ｂ、第２後方受部１５１Ｂが受部として使用されるので、第２メッシュパネル６の配置や形状は変更する必要が無い。
従って、第１メッシュパネル１３’の支柱への掛止は４通り可能であり、取付の自由度、汎用性を高めることができる。
【００５０】
上記実施例では、一対の第２メッシュパネル６を用いたが、一方は上下に分かれず一体の格子パネルとなっているものでもよい。
また、ヒンジ部やロック具の構成は前記実施例に限定されない。
同様に、受部はロック具によるロックと対になる構造であればよく、上記実施例に限定されない。
その他、要するにこの発明の要旨を変更しない範囲で種々設計変更しうること勿論である。
【符号の説明】
【００５１】
１    メッシュ型荷役用パレット
２    パレット本体
３    第１メッシュパネル
４    第１支柱係止部
５    第２支柱係止部
６    第２メッシュパネル
７    パネルロック具
２０    台盤
２１    車輪部
３１    格子状パネル
４１    第１受部
４２    第１支柱嵌合部
５１    第２受部
５２    第２支柱嵌合部
６５    ヒンジ部
７１    ロックピン
７２    ピン受具
Ｈ１、Ｈ２  ハンドル
Ｐ１、Ｐ２  支柱
【図１】
2010215275.tif 000003
【図２】
2010215275.tif 000004
【図３】
2010215275.tif 000005
【図４】
2010215275.tif 000006
【図５】
2010215275.tif 000007
【図６】
2010215275.tif 000008
【図７】
2010215275.tif 000009
【図８】
2010215275.tif 000010
【図９】
2010215275.tif 000011
【図１０】
2010215275.tif 000012
【図１１】
2010215275.tif 000013
【図１２】
2010215275.tif 000014
【図１３】
2010215275.tif 000015
【図１４】
2010215275.tif 000016
【図１５】
2010215275.tif 000017
【図１６】
2010215275.tif 000018
【図１７】
2010215275.tif 000019
【図１８】
2010215275.tif 000020